(57)【要約】      （修正有）【課題】口腔内に各局所唾液である耳下腺、顎下腺、舌下腺、舌の上に集約される総体唾液の６か所の唾液の酸化還元電位の測定を同時または単独に測定できる酸化還元電位測定装置を提供する。【解決手段】試料槽部の底に指示電極（白金）２４を装填したヒト唾液の酸化還元電位（ＯＲＰ）測定手段によって、試料槽部の精製水での洗浄および乾いた綿棒２６での拭き取り時に、試料槽部の底に指示電極（白金）装填部分も同時に行える一石二鳥の構造にしたことで、唾液腺である耳下腺左右、顎下腺左右、舌下腺、舌の上に集まる口腔内の総体唾液の６か所の各局所唾液ＯＲＰ測定、又は局所唾液を単独で効率よく簡便に測定できる。【選択図】図２
2018081068.tif 000002
【特許請求の範囲】
【請求項１】
少なくとも試料槽部の底に指示電極（白金）を装填した人間の唾液の酸化還元電位（ＯＲＰ）測定手段であり、唾液腺である耳下腺左右、顎下腺左右、舌下腺、舌の上に集まる口腔内の総体唾液の６か所の各局所唾液ＯＲＰ測定を同時、又はそれぞれの局所唾液を単独で測定できるようにし、酸化還元電位値（ｍＶ）で比較検証することができるようにしているのであり、体内がストレス負荷状態か、又はストレス負荷もなく精神的にも肉体的にも体調良好状態かを確認できることを特徴とする試料槽部に指示電極を装填した酸化還元電位測定装置と利用方法。
【請求項２】
少なくとも試料槽部の底に指示電極（白金）を装填した人間の唾液の酸化還元電位（ＯＲＰ）測定手段であり、液晶画面表示が日本語表記、又は英語表記に切り替える機能を有し、表記する言語は日本語若しくは英語に限定せず、各局所の唾液含浸の綿棒、又は多孔性物質を装填する試料槽部は空気の流れ、又は空調および外部からの電磁波ノイズを受けにくくするために、試料槽部を測定装置本体内部に収納式とし、酸化還元電位値（ｍＶ）で比較検証することができるようにしているのであり、体内がストレス負荷状態か、又はストレス負荷もなく精神的にも肉体的にも体調良好状態かを確認できることを特徴とする試料槽部に指示電極を装填した酸化還元電位測定装置と利用方法。
【請求項３】
少なくとも試料槽部の底に指示電極（白金）を装填した人間の唾液の酸化還元電位（ＯＲＰ）測定手段であり、測定溶液は人間の局所唾液に限定せず、動物の局所唾液であり、植物の葉っぱ溶液であり、植物の幹の溶液であり、根の溶液であり、花の溶液であり、実の溶液であり、果実の溶液であり、海水溶液であり、飲料水溶液であり、雨水溶液であり、河川水溶液であり、それぞれの検体液のＯＲＰ測定を同時、又はそれぞれの検体液を単独で測定できるようにしたことを特徴とする試料槽部に指示電極を装填した酸化還元電位測定装置と利用方法。
【請求項４】
少なくとも試料槽部の底に指示電極（白金）を装填した人間の唾液の酸化還元電位（ＯＲＰ）測定手段であり、測定開始動作から測定結果表示までの流れを液晶画面に逐次表示することで動作が進んでいることを示すのであり、音声によっても確認できるようにし、動作表示および音声は日本語、又は英語（言語は限定せず）表現機能を持たせ、酸化還元電位値（ｍＶ）で比較検証することができるようにしているのであり、体内がストレス負荷状態か、又はストレス負荷もなく精神的にも肉体的にも体調良好状態かを確認できることを特徴とする請求項１、２又は、３に記載の試料槽部に指示電極を装填した酸化還元電位測定装置と利用方法。
【請求項５】
少なくとも試料槽部の底に指示電極（白金）を装填した人間の唾液の酸化還元電位（ＯＲＰ）測定手段であり、唾液腺である耳下腺左右、顎下腺左右、舌下腺、舌の上に集まる口腔内の総体唾液の６か所の各局所唾液ＯＲＰ測定結果を日本語、又は英語（言語は限定せず）プリントアウト機能を持たせ、酸化還元電位値（ｍＶ）で比較検証することができるようにしているのであり、体内がストレス負荷状態か、又はストレス負荷もなく精神的にも肉体的にも体調良好状態かを確認できることを特徴とする請求項１、２、３又は、４に記載の試料槽部に指示電極を装填した酸化還元電位測定装置と利用方法。
【請求項６】
少なくとも試料槽部の底に指示電極（白金）を装填した人間の唾液の酸化還元電位（ＯＲＰ）測定手段であり、唾液腺である耳下腺左右、顎下腺左右、舌下腺、舌の上に集まる口腔内の総体唾液の６か所の各局所唾液ＯＲＰ測定は千分の１ｍＶでの極めて精緻な測定精度を保持するために、測定装置外部からの電磁波ノイズの影響を受けないように、電磁波シールドの極薄銅板、又は銅板をメッシュ加工した素材を、測定装置本体の内側壁に装着を施すことを特徴とする請求項１、２、３、４又は、５に記載の試料槽部に指示電極を装填した酸化還元電位測定装置と利用方法。
【発明の詳細な説明】
【技術分野】
【０００１】本発明は試料槽部に指示電極を装填した酸化還元電位測定装置と利用方法にかんする。
【背景技術】
【０００２】  酸化還元電位測定装置は指示電極と参照電極を備え、指示電極と参照電極を試料溶液中に挿入し、溶液中の電解質の濃度や酸化体・還元体のイオン濃度比など酸化還元電位を測定する。従来、酸化還元電位の測定は主に排水やプラント水の水質検査など多量の溶液を対象とする一方、試料溶液が少量であったり、緩衝能力が低い場合、測定の再現精度が不安定で正確性にかけるという欠点があった。液絡部を通して試料溶液中に流出する参照電極（銀−塩化銀）側の内部液が試料溶液と接触することによって酸化還元電位が測定されるのであるが、指示電極とする白金電極との距離が近いことにより検体液以外の参照電極（銀−塩化銀）側の内部液が試料槽部に装填される指示電極に接触してしまうことで緩衝能力の低い試料溶液（唾液などの生体液等）のような場合、参照電極の内部液の流出がわずかであっても検体溶液に対する影響が大きく、指示電極に直接接触した場合は、検体溶液の測定ではなく、内部溶液に影響された測定となり正確な酸化還元電位測定ができないからである。
【先行技術文献】
【特許文献】
【０００３】  文献１は、測定電極及び比較電極を非権益に浸漬して非権益の酸化還元電位を測定する酸化還元電位測定装置の電極を検査する方法、及びその検査に使用する標準液に関するものを提供しているものである。【０００４】  文献２は、過硫酸塩を活性炭により還元処理する過硫酸塩処理装置、過硫酸塩処理方法の技術に関するものである。【０００５】  文献３及び文献４とも本出願人の発明による人間の生体液である唾液の酸化還元電位を測定する装置について提供している。【０００６】  文献１：特許第５１５７８８０号
文献２：特許第５９８０６５２号
文献３：特許第４１５４８８４号
文献４：特許第４６５０７７１号
【発明の概要】
【発明が解決しようとする課題】
【０００７】  本発明は、文献３及び文献４で示す通り、酸化還元電位測定装置は指示電極と参照電極を備え、指示電極と参照電極を試料溶液中に挿入し、溶液中の電解質の濃度や酸化体・還元体のイオン濃度比など酸化還元電位を測定する人間の唾液の酸化還元電位測定装置であるが、検体液を含浸させた綿棒を接触させる試料槽部に新しい検体液の測定ごとに綿棒に添えて丸棒形状の指示電極を装填することで酸化還元電位を測定するのであるが、測定装置本体の外付け装着の白金電極においては、測定装置使用者の取り扱いが粗雑な場合は、丸棒形状の白金電極を折り曲げたり微細な傷をつける問題が生じることになり、それにより、測定精度の大きな値差が生じるのである。
【課題を解決するための手段】
【０００８】  この課題を解決するため本発明にかかる酸化還元電位測定装置は、検体液である人間の唾液採取の綿棒、又は各種水溶液を含浸させた綿棒を参照電極と指示電極に介在させることで、溶液中の電解質の濃度や酸化体・還元体のイオン濃度比など酸化還元電位を測定する構成とした試料槽の底部に指示電極である白金電極をリベット形状にして内蔵させる。白金電極をリベット形状の頭部の表面を鏡面研磨し、試料槽の底部に指示電極を装着することでプラスマイナスの電子の局部電池発生を回避できることに着眼したのである。【０００９】  よって、前の測定溶液を精製水、又は純水を含浸させた綿棒で洗浄後、乾燥した新しい綿棒で簡便にふき取ることができる試料槽とすることで、試料槽部に内蔵されたリベット形状の指示電極である白金電極の頭を、常に綿棒の素材である柔らかいコットンで常に鏡面研磨の拭き取り行為をすることになり、外部に装着する指示電極では洗浄拭き取りによる取り扱いで傷つける問題も解消され一石二鳥の効果を得られるのである。【００１０】  つぎに、人間の唾液及びその他の検体液を含浸させた綿棒を試料槽部に差し込んで、試料槽部を押し込み格納することで、電源が自動的にＯＮされ測定が開始されるようにしている。それにより、空調による風の影響、又は室外での測定においても風の影響を受けることなくｍＶ単位の測定を安定させ、所定時間後に測定完了で測定結果が液晶部に表示されるようにする。【００１１】  さらには、測定結果をプリントできるようにした酸化還元電位測定装置である。そして、プリント機能は、個人情報の漏洩に配慮し、次の検体液を測定するとデータは次の測定結果の数値に上書き保存されるように対応可能としている。ＵＳＢやネットケーブルで周辺機器に安易にデータ情報が流失しないように暗証番号入力、又はこれらの機能を設けないことにも対応できるようにしているのである。【００１２】  さらに、本発明の測定装置は、検体液の綿棒を装填できる複数の試料槽部を設けることで、市民の健康セミナーなどのイベント会場にいて、多数の参加者の体調度を効率よく測定することができる人間の唾液の酸化還元測定装置としている。【００１３】  上記目的を達成するために、本発明は（［請求項１］の構成要件）とで、本発明の溶液中の電解質の濃度や酸化体・還元体のイオン濃度比など酸化還元電位を測定する構成とした試料槽の底部に指示電極である白金電極をリベット形状にして内蔵させる。なおかつ、白金電極をリベット形状の頭部の表面を鏡面研磨したもので構成し、従来の人間の唾液測定装置の外付け指示電極による使用者の取扱いによる電極を損傷させる問題を解消したのである。
【発明の効果】
【００１４】  以上の説明から明らかなように、本発明にあっては次に列挙する効果が得られる。
（１）（［請求項１］の構成要件）とで構成されているので、人間の唾液の酸化還元電位（ＯＲＰ）測定手段を用いて、本発明の有効性を証明するために、本発明者が取得している特許をもとに開発した厚生労働省から医療機器として認証されている人間の唾液ＯＲＰ測定装置と本発明の人間の唾液ＯＲＰ測定装置を用いて、同一溶液である検体液で人間の唾液のＯＲＰ測定精度の比較を試みたのである。【００１５】  （２）前記（１）によって、試料槽部の底に指示電極（白金）を装填した人間の唾液の酸化還元電位（ＯＲＰ）測定手段を用いて、すでに、厚生労働省から医療機器として認証されている人間の唾液ＯＲＰ測定装置を用いて３，０００症例を超える唾液臨床でｍＶ数値限定による体調度を立証した横浜・小児内科医の岡澤美江子医師の協力のもと、患者及び付き添いの健常者を含む２０人の同一溶液である唾液ＯＲＰの測定を実施した。表１は、本発明出願人が特許取得して開発された医療機器として認可されている人間の唾液ＯＲＰ測定装置を用いた人間の唾液ＯＲＰ測定結果であり、表２は、本発明の試料槽部の底に指示電極（白金）を装填した酸化還元電位測定装置を用いて人間の唾液ＯＲＰ測定結果である。同一溶液とは、被験者のそれぞれの唾液を１個のビニール小袋に採取し、測定専用の綿棒２本の綿部分に唾液を含浸させておいて、比較測定する手段としたのである。それぞれの被験者の唾液ＯＲＰは表１と表２で示された通りである。よって、表１と表２で示されたヒト唾液ＯＲＰが、千分の５ｍＶ以内で、ほぼ偶然に近い数値に一致したとは考えられず、本発明である、被験者の唾液を含浸させた綿棒を差し込む試料槽部の底に指示電極（白金）を装填した指示電極の構造においても、白金電極を内蔵させた構成によるプラスマイナスの電子授受交換が正しく行われ、医療機器である人間の唾液ＯＲＰ測定装置の必須条件である絶対値測定（同一溶液なら、ほぼ同じ値で計測される）とする精度の高い測定装置としての所期の目的を達成したのである。【００１６】  （３）請求項１至る請求項６も前記（１）〜（２）と同様に、綿棒に含浸の唾液を試料槽部に差し込むことで起きる毛細管現象を利用し、基準電極への導線となるＫＣＬ溶液が指示電極に直接触れないように常に一定した距離を持たせ、試料槽部の底部に装着の指示電極と微量のＫＣＬ溶液の液絡部に唾液含浸の綿棒を介してのみプラスマイナスの電子導通で接触させるようにしたのである。よって、前記（２）に示したように所期の目的を達成したのである。
【実施例】
【００１７】
【表１】
2018081068.tif 000003
【００１８】
【表２】
2018081068.tif 000004
【図面の簡単な説明】
【００１９】
【図１】本発明の図１は、本発明の酸化還元電位測定装置８には試料槽の底部に装填の指示電極（白金）を拡大した断面図である。
【図２】本発明の図２は本発明の酸化還元電位測定装置の指示電極（作用電極）と基準電極（参照電極）の溶液を介してマイナス電子とプラス電子の授受の全体構成の断面図である。
【図３】本発明の図３は綿棒などの多孔性物質に白金棒を差込む縦筒穴の底部に指示電極（白金）を内蔵させた図である。
【図４】本発明の図４は人間の唾液ＯＲＰ測定装置斜視図を示す一例図である。
【図５】本発明の図５は液晶に日本語表示を示す一例図。
【図６】本発明の図６は液晶に英語表示を示す一例図。
【図７】本発明の図７は測定装置商標のＷｅｌｌｎｅｓｓ  Ｉｎｄｅｘ  Ｍｅｔｅｒ  ＯＲＰｒｅａｄｅｒ一例図。
【発明を実施するための形態】
【００２０】  本発明を実施するための最良の形態について説明する。本発明に用いる本発明の試料槽部の底に指示電極（白金）を装填した酸化還元電位測定装置を用いて人間の唾液ＯＲＰ測定結果の手段である酸化還元電位指標は、人間の生体液である唾液は、電子レベルでの酸化体と還元体の電子の授受であり、電子の流れは負極（マイナス）から正極（プラス）となり、すなわち、マイナス電子を奪われ酸化することを意味するのである。このことから、負極（マイナス）電子が放出（奪われた）場合は酸化反応であり、反対に起こっている正極（プラス）が負極（マイナス）電子を受け取る場合は還元反応なのである。人間の体は、常に負極（マイナス）電子が奪われる自然摂理で構成され、酸化反応をいかに抑えるかが健康で生きるための大切な要件である。
【実施例】
【００２１】  本発明を実施するための最良の形態について説明する。図１において本発明の酸化還元電位測定装置８には試料槽の底部に装填の指示電極（白金）断面図１を有し、２は指示電極を真上から見た正円図であり、３は指示電極先端部の頭部の丸み形状として、４は指示電極（白金）棒状部であり、５は試料槽におけるゆるみを防ぐためにねじ切り加工部を設けている。６は指示電極リード線に接着部、７は凹のマイナスの加工でねじ締め可能とする。【００２２】  図２について説明する。８は本発明の測定装置の試料槽の底部に装填の指示電極と基準電極の内部液格納の溶液を介しての電子授受の構成の断面図であり、９は酸化還元電位差計を有し、１０は指示電極と参照電極導通のリード線であり、１１は参照電極となる銀電極とし、１２は試料槽部土台、１３は試料槽部上面、１４試料槽部上部浅瀬部分であり、１５は内部液を格納する液槽の上部ふたを設け、１６は内部液を格納する液槽の上面であり、１７には塩化カリウムが格納されている。１８は基準電極の銀線ＫＣＬ溶液導通の細溝とし、１９は銀線が内蔵され、２０は銀線を包み込む銀粉であり、２１は内部液を格納する液槽のＫＣＬ溶液が漏れないようにパッキンを挟み込むようにしている。２２はガラスやカーボン等の不活性素材からなる筒部を設け、２３はコットンを詰め込み銀粉が流出しないようにしている。２４は綿棒などの多孔性物質を差込む縦筒穴の底部であり接着ボンドで４の白金電極を固定している。２５は指示電極棒状の下部をナットで締めるようにしてゆるみが出ないようにしている。２６は試料槽部に差し込む綿棒などの多孔性物質で構成される持ち手部が木軸及び紙軸であり、２７は綿棒の綿部分に含浸の被検液とＫＣＬ溶液が接触する液絡部であり、２８は指示電極と綿棒に含浸の唾液とＫＣＬ溶液が接する液絡部への導通イメージであり、２９は指示電極の頭部を丸み形状をもたせ唾液含浸綿棒との接触部で構成している。【００２３】  図３について説明する。図２において８の本発明の酸化還元電位測定装置の指示電極（作用電極）と基準電極（参照電極）の溶液を介してのマイナス電子とプラス電子の授受の全体構成の断面図であり、４は指示電極棒状部であり、２９は指示電極と唾液含浸綿棒との接触部で頭部分に丸みを持たせた形状とすることで、局部電池の発生が起きないように、すなわちプラスマイナスの電子が帯電しないようにしている。【００２４】  図４について説明する。３０は本発明の人間の唾液ＯＲＰ測定装置斜視図であり、本体箱の内側には銅板、又は銅板素材のメッシュ加工で電磁波防御の素材を装着（図せず）、３１は本発明の人間の唾液ＯＲＰ測定装置本体測定装置天板部であり、３２はプリンター装備部とし、３３は測定結果を紙ペーパー打ち出すのである。３４はプリンターＢＯＸ押しボタンであり、３５は耳下腺左右、顎下腺左右、舌下腺、舌の上の総体唾液の６か所の測定箇所選択押しボタンとし、３６は測定ＢＯＸ１の液晶部で測定経過及び測定結果表示であり、３７は測定ＢＯＸ２の液晶部で測定経過及び測定結果表示であり、３８は測定ＢＯＸ３の液晶部で測定経過及び測定結果表示としている。３９は本電源であり、４０は日本語、又は英語表記（言語は限定せず）���選択ボタンとし、４１は測定ＢＯＸ１至る測定ＢＯＸ３の測定ＢＯＸの扉の開閉部分である。４２は各測定ＢＯＸの取り出しボタンであり、４３は各測定ＢＯＸの測定開始の押し込み箇所である。図５の４４はペーパープリント打ち出しの日本語表記の一例であり、図６の４５はペーパープリント打ち出しの英語表記（表記する言語は英語に限定せず）の一例であり、図７は本発明の測定装置に表現する商標の一例図である。
【産業上の利用可能性】
【００２５】  従来の人間の酸化還元電位測定装置は、口腔内に各局所唾液である耳下腺、顎下腺、舌下腺、舌の上に集約される総体唾液の６か所の唾液の酸化還元電位の測定が同時にできないことにより、体調不良が体調良好に改善されているかの比較検証が困難であった、この問題を１台の測定装置で比較検証できる装置としたことで、２０１５年１２月からストレスチェックの実施が義務化、精神障害を原因とする労災認定件数の増加等をうけ、最近の社会情勢の変化や労働災害の動向に即した形で対応し、労働者の安全と健康の確保対策を一層充実するため、「労働安全衛生法の一部を改正する法律」（平成２６年法律第８２号）が平成２６年６月２５日に公布されました。企業の社員のストレスチェックの可視化を可能にした装置である。【００２６】  本発明は、試料槽部の底に指示電極（白金）を装填した人間の唾液の酸化還元電位（ＯＲＰ）測定手段によって、試料槽部の精製水での洗浄および乾いた綿棒、又はテッシュペーパーでの拭き取り時に、試料槽部の底に指示電極（白金）装填部分も同時に行える構造にしたことで、唾液腺である耳下腺左右、顎下腺左右、舌下腺、舌の上に集まる口腔内の総体唾液の６か所の各局所唾液ＯＲＰ測定、又は局所唾液を単独で効率よく簡便に測定できるようにしたのである。よって、局所の唾液の酸化還元電位値（ｍＶ）を比較検証することができるようにしているのであり、体内がストレス負荷状態か、又はストレス負荷もなく精神的にも肉体的にも体調良好状態かの見極め検証を可能にしたのである。【００２７】  今日において、精神的なストレスチェック、疾患の治癒経過、完全治癒を専門従事者でなくても簡単に数値化判定するのが困難な状況である。唾液の酸化還元電位値（ｍＶ）を総体的に演算測定する手段とその測定の活用方法であり、舌の上に集まる総体唾液および耳下腺左右、顎下腺左右、舌下腺から分泌される局所唾液成分からなる６箇所のヒト唾液成分の酸化還元電位値（ｍＶ）測定を可能にし、重篤症状の９割を占めるとされる活性酸素発生のストレス負荷測定が可能としたのである。活性酸素の発生原因は、睡眠不足、過剰なストレス、タバコ、お酒、暴飲暴食、紫外線、排気ガス、過激な運動、化学物質、電磁波、大気汚染、農薬汚染などであり、これらを避けるには、食生活習慣の改善、精神面のメンタルケアー等々を実践した後の成果が簡便に確認ができることで健康寿命に繋げる目標が明確になる。本発明は（１）ストレスによる体調不良は世界共通の大問題でり、痛み、感染リスクを伴わず少量唾液でストレスチェックを確認できるＯＲＰ測定装置は世界で唯一の製品となる。（２）ストレスチェックでの早期対応は体調を整え人間関係が良好になり製品製造の品質を高め国益に繋がると考える。（３）ＴＰＰにおける輸出入製品の新しい受け入れ基準に繋がることが期待できる。（４）企業の社員のストレスチェックの活用。（５）幼稚園から大学・集団生活でのストレスチェック。（６）国益を担う国防、集団生活スタッフのストレスチェックなど多岐に活用でき、早期の体調改善は医療費の軽減につながり、産業上での利用は大いに期待できるのである。
【符号の説明】
【００２８】１  本発明の試料槽に装填の指示電極（白金）断面図
２  指示電極を真上から見た正円図
３  指示電極、先端の頭部の丸み形状
４  指示電極棒状
５  指示電極棒状の下部のねじ切り加工部
６  指示電極リード線に接着部
７  凹のマイナスの加工でねじ締め可能とする
８  試料槽の指示電極と基準電極の内部液格納の溶液を介しての電子授受の構成の断面図
９  酸化還元電位差計
１０  指示電極と参照電極導通のリード線
１１  参照電極となる銀電極
１２  試料槽部土台
１３  試料槽部上面
１４  試料槽部上部浅瀬部分
１５  内部液を格納する液槽の上部ふた
１６  内部液を格納する液槽の上面
１７  塩化カリウム
１８  基準電極の銀線ＫＣＬ溶液導通の細溝
１９  銀線
２０  銀線を包み込む銀粉
２１  内部液を格納する液槽のＫＣＬ溶液が漏れないようにパッキンを挟み込む
２２  ガラスやカーボン等の不活性素材からなる筒部
２３  コットン
２４  綿棒などの多孔性物質を差込む縦筒穴の底部は接着ボンドで白金電極を固定
２５  指示電極棒状の下部をナットで試料槽の底部に固定の白金電極を締める
２６  試料槽部に差し込む綿棒などの多孔性物質で構成される持ち手部が木軸及び紙軸
２７  綿棒の綿部分に含浸の被検液とＫＣＬ溶液が接触する液絡部
２８  指示電極と綿棒に含浸された唾液溶液とＫＣＬ溶液が接触する液絡部への導通部
２９  指示電極先端部を丸み形状として唾液含浸綿棒との接触部
３０  本発明の人間の唾液ＯＲＰ測定装置斜視図
３１  本発明の人間の唾液ＯＲＰ測定装置本体天板部
３２  プリンター装備部
３３  紙ペーパー打ち出し
３４  プリンターＢＯＸ押しボタン
３５  耳下腺左右、顎下腺左右、舌下腺、舌の上の総体唾液の６か所の測定箇所選択ボタン
３６  測定ＢＯＸ１の液晶部で測定経過及び測定結果表示
３７  測定ＢＯＸ２の液晶部で測定経過及び測定結果表示
３８  測定ＢＯＸ３の液晶部で測定経過及び測定結果表示
３９  本電源
４０  日本語、又は英語表記（言語は限定せず）の選択ボタン
４１  測定ＢＯＸ１至る測定ＢＯＸ３の測定ＢＯＸの扉の開閉
４２  各測定ＢＯＸの取り出しボタン
４３  各測定ＢＯＸの測定開始の押し込み箇所
４４  ペーパープリント打ち出しの日本語表記の一例
４５  ペーパープリント打ち出しの英語表記（言語表記は英語に限定せず）の一例
【図１】
2018081068.tif 000005
【図２】
2018081068.tif 000006
【図３】
2018081068.tif 000007
【図４】
2018081068.tif 000008
【図５】
2018081068.tif 000009
【図６】
2018081068.tif 000010
【図７】
2018081068.tif 000011
【手続補正書】
【提出日】平成29年1月10日(2017.1.10)
【手続補正１】
【補正対象書類名】明細書
【補正対象項目名】全文
【補正方法】変更
【補正の内容】
【発明の詳細な説明】
【技術分野】
【０００１】本発明は試料槽部に指示電極を装填した酸化還元電位測定装置と利用方法にかんする。
【背景技術】
【０００２】  酸化還元電位測定装置は指示電極と参照電極を備え、指示電極と参照電極を試料溶液中に挿入し、溶液中の電解質の濃度や酸化体・還元体のイオン濃度比など酸化還元電位を測定する。従来、酸化還元電位の測定は主に排水やプラント水の水質検査など多量の溶液を対象とする一方、試料溶液が少量であったり、緩衝能力が低い場合、測定の再現精度が不安定で正確性にかけるという欠点があった。液絡部を通して試料溶液中に流出する参照電極（銀−塩化銀）側の内部液が試料溶液と接触することによって酸化還元電位が測定されるのであるが、指示電極とする白金電極との距離が近いことにより検体液以外の参照電極（銀−塩化銀）側の内部液が試料槽部に装填される指示電極に接触してしまうことで緩衝能力の低い試料溶液（唾液などの生体液等）のような場合、参照電極の内部液の流出がわずかであっても検体溶液に対する影響が大きく、指示電極に直接接触した場合は、検体溶液の測定ではなく、内部溶液に影響された測定となり正確な酸化還元電位測定ができないからである。
【先行技術文献】
【特許文献】
【０００３】  文献１は、測定電極及び比較電極を非権益に浸漬して非権益の酸化還元電位を測定する酸化還元電位測定装置の電極を検査する方法、及びその検査に使用する標準液に関するものを提供しているものである。【０００４】  文献２は、過硫酸塩を活性炭により還元処理する過硫酸塩処理装置、過硫酸塩処理方法の技術に関するものである。【０００５】  文献３及び文献４とも本出願人の発明による人間の生体液である唾液の酸化還元電位を測定する装置について提供している。【０００６】  文献１：特許第５１５７８８０号
文献２：特許第５９８０６５２号
文献３：特許第４１５４８８４号
文献４：特許第４６５０７７１号
【発明の概要】
【発明が解決しようとする課題】
【０００７】  本発明は、文献３及び文献４で示す通り、酸化還元電位測定装置は指示電極と参照電極を備え、指示電極と参照電極を試料溶液中に挿入し、溶液中の電解質の濃度や酸化体・還元体のイオン濃度比など酸化還元電位を測定する人間の唾液の酸化還元電位測定装置であるが、検体液を含浸させた綿棒を接触させる試料槽部に新しい検体液の測定ごとに綿棒に添えて丸棒形状の指示電極を装填することで酸化還元電位を測定するのであるが、測定装置本体の外付け装着の白金電極においては、洗浄して拭き取り行為及び測定装置使用者の取り扱いが粗雑な場合は、丸棒形状の白金電極を折り曲げたり微細な傷をつける問題が生じることになり、それにより、測定精度の大きな値差が生じるのである。
【課題を解決するための手段】
【０００８】  この課題を解決するため本発明にかかる酸化還元電位測定装置は、検体液である人間の唾液採取の綿棒、又は各種水溶液を含浸させた綿棒を参照電極と指示電極に介在させることで、溶液中の電解質の濃度や酸化体・還元体のイオン濃度比など酸化還元電位を測定する構成とした試料槽の底部に指示電極である白金電極をリベット形状にして内蔵させる。白金電極をリベット形状の頭部の表面を鏡面研磨し、試料槽の底部に指示電極を装着することでプラスマイナスの電子の局部電池発生を回避できることに着眼したのである。【０００９】  前の測定溶液を精製水（純水）、又は含浸させた綿棒で洗浄後、乾燥した新しい綿棒で簡便拭き取りができる試料槽とし、試料槽部に内蔵された円形のリベット形状の指示電極の頭を緩やかな丸みの形状で角をなくし、局部電池の発生を防ぐことと試料槽部に装着時に接着面との隙間を解消し測定精度を高め被検液の潜り込みを解消できるのであり、しかも、常に綿棒の素材である柔らかいコットンで、試料槽の底部に装填した指示電極に人間の手が触れたり物に当てて傷をつけることがなくなり、前の被検液の微量の付着粘膜を常に傷つけることなく鏡面研磨の拭き取り行為をすることになり、前の被検液の拭き残りをなくし、常に測定毎に新しい被検液測定が確実に行えるのである。もし、試料槽に洗浄拭き残りの不備がある場合においては、洗浄チェックの数秒間の値差の演算機構を設けてあり、不備の場合は、測定被検液に混ざった溶液で微細な値差が生じ、再洗浄が表示されるようにしているのであり、測定操作を最初からやり直すことができるようにしている。従来の外付け指示電極は洗浄拭き取りによる不備、又は乱暴な取扱い及び指示電極に直接、人間の手が触たり物に当てて傷つける問題や前の被検液の汚れが残る問題などがあり、これが解消され一石二鳥の効果を得られ、千分の１ｍＶ単位の精密な絶対値測定ができるようになる点に着眼したのである。【００１０】  つぎに、人間の唾液及びその他の検体液を含浸させた綿棒を試料槽部に差し込んで、試料槽部を押し込み格納することで、電源が自動的にＯＮされ測定が開始されるようにしている。それにより、空調による風の影響、又は室外での測定においても風の影響を受けることなく千分の１ｍＶ単位の測定を安定させ、所定時間後に測定完了で測定結果が液晶部に表示されるようにする。【００１１】  さらには、測定結果をプリントできるようにした酸化還元電位測定装置である。そして、プリント機能は、個人情報の漏洩に配慮し、次の検体液を測定するとデータは次の測定結果の数値に上書き保存されるように対応可能としている。ＵＳＢやネットケーブルで周辺機器に安易にデータ情報が流失しないように暗証番号入力、又はこれらの機能を設けないことにも対応できるようにしているのである。【００１２】  さらに、本発明の測定装置は、検体液の綿棒を装填できる複数の試料槽部を設けることで、市民の健康セミナーなどのイベント会場にいて、多数の参加者の体調度を効率よく測定することができる人間の唾液の酸化還元測定装置としている。【００１３】  上記目的を達成するために、本発明は（［請求項１］の構成要件）とで、本発明の溶液中の電解質の濃度や酸化体・還元体のイオン濃度比など酸化還元電位を測定する構成とした試料槽の底部に指示電極である白金電極をリベット形状にして内蔵させる。なおかつ、白金電極をリベット形状の頭部の表面を鏡面研磨したもので構成し、従来の人間の唾液測定装置の外付け指示電極による使用者の取扱いによる電極を損傷させる問題を解消したのである。
【発明の効果】
【００１４】  以上の説明から明らかなように、本発明にあっては次に列挙する効果が得られる。
（１）（［請求項１］の構成要件）とで構成されているので、人間の唾液の酸化還元電位（ＯＲＰ）測定手段を用いて、本発明の有効性を証明するために、本発明者が取得している特許をもとに開発した厚生労働省から医療機器として認証されている人間の唾液ＯＲＰ測定装置と本発明の人間の唾液ＯＲＰ測定装置を用いて、同一溶液である検体液で人間の唾液のＯＲＰ測定精度の比較を試みたのである。【００１５】  （２）前記（１）によって、試料槽部の底に指示電極（白金）を装填した人間の唾液の酸化還元電位（ＯＲＰ）測定手段を用いて、すでに、厚生労働省から医療機器として認証されている人間の唾液ＯＲＰ測定装置を用いて８，０００症例を超える唾液臨床でｍＶ数値限定による体調度を立証した横浜・小児内科医の岡澤美江子医師の協力のもと、患者及び付き添いの健常者を含む２０人の同一溶液である舌の上に集まる総体唾液ＯＲＰの測定を実施した。表１は本発明の試料槽部の底に指示電極（白金）を装填した酸化還元電位測定装置を用いて人間の唾液ＯＲＰ測定結果である。表２は本発明出願人が特許取得し開発された厚生省認可の医療機器で人間の唾液ＯＲＰ測定装置を用いた人間の唾液ＯＲＰ測定結果であり、同一溶液とは、被検者のそれぞれの唾液を１袋のビニール小袋に採取し、測定専用の綿棒２本の綿部分に唾液を含浸させて比較測定する手段としたのである。それぞれの被検者の唾液ＯＲＰは表１と表２で示された通りである。よって、表１と表２で示された人間の唾液ＯＲＰが、千分の５ｍＶ以内で、ほぼ同じ数値に一致したとは考えられず、本発明である、被検者の唾液を含浸させた綿棒を差し込む試料槽部の底に指示電極（白金）を装填した指示電極の構造においても、白金電極を内蔵させた構成によるプラスマイナスの電子授受交換が正しく行われ、医療機器である人間の唾液ＯＲＰ測定装置の必須条件である絶対値測定（同一溶液なら、ほぼ同じ値で計測される）とする精度の高い測定装置としての所期の目的を達成したのである。【００１６】  （３）請求項１至る請求項１１も前記（１）〜（２）と同様に、綿棒に含浸の唾液を試料槽部に差し込むことで起きる毛細管現象を利用し、すなわち、濡れた綿棒を試料槽に差込むことで基準電極（塩化銀電極）が浸されているｋｃｌ溶液を呼び込み、基準電極（塩化銀電極）と指示電極（白金電極）の両極への電子授受交換が起こる毛細管現象を利用し、基準電極（塩化銀電極）への導線となるＫＣＬ溶液が指示電極（白金電極）に直接触れないように常に一定した距離を持たせ、試料槽部の底部に装着の指示電極（白金電極）と微量のＫＣＬ溶液の液絡部に唾液含浸の綿棒を介してのみプラスマイナスの電子導通で接触させるようにしたのである。よって、前記（２）に示したように所期の目的を達成したのである。【００１７】さらに、表３について説明する。従来のＯＲＰ唾液測定装置においては、同一検体液であっても５０ｍＶの範囲を超える酸化傾向が強い検体液の場合は、ＯＲＰ唾液の測定値がプラスマイナス５ｍＶを超え、さらにはプラスマイナス２０ｍＶを超えるという再現性のばらつき問題を解消した。測定精度ばらつきは、数値限定の医療機器の測定装置の根幹を揺るがすことになる。本発明の測定装置は、試��槽部の底に指示電極（白金）を装填した人間の唾液の酸化還元電位（ＯＲＰ）測定手段を用いて、塩化銀電極と白金電極の検体液の電子交換授受を介するｋｃｌ溶液の液絡部と指示電極が常に一定の距離を保ち、試料槽部の底にある指示電極に検体液が引力により常に安定した検体液の情報を伝えることに着眼し、同一検体液とする酸化状態のＯＲＰ唾液、又は還元状態のＯＲＰ唾液の何れであっても、測定精度を全測定範囲のプラスマイナス１％以内（電気的入力による）で精度の高い測定装置を実現したことを証明するために表３に示した。人間の唾液ＯＲＰが８，０００症例を超える唾液臨床でｍＶ数値限定による体調度を立証した横浜・小児内科医の岡澤美江子医師の唾液の度数分布では、４０ｍＶ〜５０ｍＶの範囲を体内が酸化状態、又は還元状態の境界とされている。４０ｍＶ以下で、より、マイナスｍＶ値が強い範囲に入る唾液は体内が還元されている状態であり、プラス５０ｍＶ以上で、より、プラスｍＶ値が強い範囲に入る唾液は体内が酸化している状態として、本発明者特許第４１５４８８４号の酸化還元電位測定装置および方法で公知されている。【００１８】表３で示されたとおり、本発明の測定装置は測定部とする試料槽部に指示電極が内蔵されたものが３箇所設置（設置個数は限定せず）している。この３箇所で測定する同一検体液とする舌の上に集まる唾液を綿棒に含浸させて採取の酸化状態のＯＲＰ唾液、又は還元状態のＯＲＰ唾液の何れであっても、測定精度を全測定範囲のプラスマイナス１％以内（電気的入力による）で精度の高い測定装置を実現したことを証明したものである。表３で示された人間の唾液ＯＲＰが、指示電極が内蔵された試験実機テストで測定ＢＯＸ１至るＢＯＸ３の３箇所設置での測定結果で、ほぼ同じに測定数値となり偶然に一致したとは考えられず、この点においても所期の目的を達成したのである。さらには、本発明の測定装置は測定部とする試料槽の底部に指示電極が内蔵されたことで、ｋｃｌ溶液を含浸させた綿棒が試料槽の底部に装填した指示電極（白金）が空気にさらされない状態で常に液絡部と一定の距離で接触し、対極する銀電極側にｋｃｌ溶液を介して電子導通がされる。よって、指示電極が酸化影響を受けることなく常にｋｃｌ溶液の絶対値測定が可能になり、後述の表８で示すとおり、本発明の測定装置が正確に測定できているかを定期的に当該測定装置使用者が簡単に唾液測定と同じように確認できる校正標準溶液となることを証明したのである。なお、ｋｃｌ溶液濃度が（１ｍｏｌ、又は３．３ｍｏｌ等）にした場合において、それぞれ固有のＯＲＰの絶対値は異なっても、それぞれのｋｃｌ溶液濃度の絶対値測定を実現した。校正標準溶液は（１ｍｏｌ、又は３．３ｍｏｌに限定せず）。本発明の測定範囲はプラスマイナス５００ｍＶ（測定範囲数値はこれに限定せず）としている。そして、本発明の測定の再現性としてはプラスマイナス１０ｍＶ以内（正常な酸化還元体を含む同一溶液）を実現したのである。正常な酸化還元体を含む同一溶液とは、医師による専門家の診断名及び現に治療などを受けていない人の唾液であり、さらには、麻薬、大麻、あへん、若しくは覚せい剤などの治療を受けていない人の唾液なのである。
【実施例】
【００１９】
【表１】
2018081068.tif 000012
【００２０】
【表２】
2018081068.tif 000013
【００２１】
【表３】
2018081068.tif 000014
【００２２】
【表４】
2018081068.tif 000015
【００２３】
【表５】
2018081068.tif 000016
【００２４】
【表６】
2018081068.tif 000017
【００２５】
【表７】
2018081068.tif 000018
【００２６】表４、表５及び表６、表７について説明する。表４は農薬不使用の植物エキスから抽出の醗酵成分ブレンド壁材を使用して施工した室内での体感前後の唾液の経時変化である。表５はシンナー系使用の壁材を使用して施工した室内での体感前後の唾液の経時変化である。表６は無農薬栽培レモンで、保存に防腐剤、カビ防止剤、乾燥防止剤など不使用のレモン摂取前後の唾液の経時変化である。表７は農薬栽培のレモンで、保存に防腐剤、カビ防止剤、乾燥防止剤などを使用したレモン摂取前後の唾液の経時変化である。この表４至る表７で示されたとおり、耳下腺及び舌の上に集まる総体唾液との比較で化学物質の体内への影響が、ほぼ同様に酸化還元反応を示し、本発明の試料槽部に指示電極を装填した酸化還元電位測定装置と利用方法が、覚せい剤反応のスクリーニング活用が期待できると考察したのであり、本発明の測定装置としての所期の目的を達成したのである。【００２７】
【表８】
2018081068.tif 000019
【００２８】表８について説明する。従来の人間のＯＲＰ測定装置の校正標準溶液が確立されていない問題を解消するために、本発明測定装置の基準電極（銀電極）に使用のｋｃｌ溶液（溶液濃度ｋｃｌ  １ｍｏｌに限定せず）を、本発明測定装置の校正標準溶液とすることに着眼し、本発明の測定装置が正確に測定できているかを定期的に確認する方法を表８で証明した。本発明の測定装置の試料槽部を洗浄して拭取り、唾液測定専用綿棒に校正標準溶とするｋｃｌ  １ｍｏｌ溶液を含浸させて日時を変えて繰り返し測定した結果は表８のとおりである。前述の小児内科医の岡澤美江子医師の唾液の度数分布で体内の酸化と還元の境界範囲は４０ｍＶ〜５０ｍＶで医療機器として示されていて、本発明装置に付帯する校正標準溶液の数値の再現性は、プラスマイナス１０ｍＶ以内で常に確実に再現されることが示され、偶然に一致したのではなく校正標準溶液として証明する所期の目的を達成できたのである。ｋｃｌ  １ｍｏｌはメスフラスコ等を用いて１，０００ｍｌの超純水に塩化カリウム７４．５５ｇで飽和水溶液にしたものである。【００２９】本発明の測定装置は測定部とする試料槽の底部に指示電極が内蔵されたことで、ｋｃｌ溶液を含浸させた綿棒が試料槽の底部に装填した指示電極（白金）が空気にさらされない状態で常に液絡部と一定の距離で接触し、対極する銀電極側にｋｃｌ溶液を介して電子導通がされる。よって、指示電極が酸化影響を受けることなく常にｋｃｌ溶液の絶対値測定が可能になり、本発明の測定装置が正確に測定できているかを定期的に装置使用者が確認できる校正標準溶液になることを証明した。なお、ｋｃｌ溶液濃度によりＯＲＰの絶対値は異なるのである。【００３０】本発明者は、薬物常用の患者を対象に唾液臨床ができない環境下であるが、麻薬と呼ばれる物の中には覚醒剤、大麻、アヘンなどの常用者の酸化還元反応手段を考察する手段として、唾液の酸化還元電位（ＯＲＰ）による延べ８，０００症例の数値限定で体内の酸化と還元の度数分布を確立した小児内科の岡澤美江子医師の測定協力のもと、表４至る表７に見られるように化学物質によって、人間の生体反応は、明確に唾液成分が強い酸化反応を示したのである。すなわち、化学物質により体内は大量に活性酸素が発生していることは明白であり、よって、表４至る表７で示したとおり人間の唾液ＯＲＰの酸化反応の経時変化が偶然に一致したとは考えられず、シンナー系の化学物質を使用した室内空気の体内摂取体感前後と農薬などの化学物質が含まれた果実の体内摂取前後において、耳下腺唾液と舌の上に集まる総体唾液との比較検証を可能にした本発明の測定装置によって、麻薬と呼ばれる物の中には覚醒剤、大麻、アヘン、モルヒネ、ヘロイン、ＭＤＭＡ・ＭＤＡ、コカイン、シンナー等有機溶剤、危険ドラッグなどがあり、これらの摂取乱用により、体内細胞への酸化反応が強くなり、特に覚せい剤などにおいて、覚せい剤は人工の化学物質を混ぜたメタンフェタミンであり、これらの人工的な化学物質を体内に取り込むことで、体内は大量の強い活性酸素が生成されることが考察されるとする理由を表４至る表７で証明したのであり、血液を通して唾液の酸化還元反応が飲食又は体感後において最速で３０分経過後に色濃く現れる生体反応の特性を捉え、覚せい剤反応のスクリーニング活用が大いに期待できると考察できたのである。
【図面の簡単な説明】
【００３１】
【図１】本発明の図１は、本発明の酸化還元電位測定装置８には試料槽の底部に装填の指示電極（白金）を拡大した断面図を示す一例図である。
【図２】本発明の図２は本発明の酸化還元電位測定装置の指示電極（作用電極）と基準電極（参照電極）の溶液を介してマイナス電子とプラス電子授受の全体構成の断面図である。
【図３】本発明の図３は綿棒などの多孔性物質を差込む縦筒穴の底部に指示電極（白金）を内蔵させた図である。
【図４】本発明の図４は内部液を格納する上ふたの下面にｋｃｌ溶液を介して基準電極と指示電極を電子導通させる細溝を形成する断面図である。
【図５】本発明の図５は人間の唾液ＯＲＰ測定装置斜視図を示す一例図である。
【図６】本発明の図６は液晶に測定結果及び時刻表示などを日本語表示で示す一例図。
【図７】本発明の図７は液晶に定結果及び時刻表示などを英語表示で示す一例図。
【発明を実施するための形態】
【００３２】  本発明を実施するための最良の形態について説明する。本発明に用いる本発明の試料槽部の底に指示電極（白金）を装填した酸化還元電位測定装置を用いて人間の唾液ＯＲＰ測定結果の手段である酸化還元電位指標は、人間の生体液である唾液は、電子レベルでの酸化体と還元体の電子の授受であり、電子の流れは負極（マイナス）から正極（プラス）となり、すなわち、マイナス電子を奪われ酸化することを意味するのである。このことから、負極（マイナス）電子が放出（奪われた）場合は酸化反応であり、反対に起こっている正極（プラス）が負極（マイナス）電子を受け取る場合は還元反応なのである。人間の体は、常に負極（マイナス）電子が奪われる自然摂理で構成され、酸化反応をいかに抑えるかが健康で生きるための大切な要件である。
【実施例】
【００３３】  本発明を実施するための最良の形態について説明する。図１において本発明の酸化還元電位測定装置８には試料槽の底部に装填の指示電極（白金）断面図１を有し、２は指示電極を真上から見た正円図であり、３は指示電極先端部の頭部を鏡面研磨し、丸み形状で鋭角な箇所をなくしボンド接着における試料槽筒部底の内側壁面との接着の隙間をなくしたことで、洗浄液若しくは前の被検液の潜り込みを解消した。４は指示電極（白金）棒状部であり、５は試料槽におけるゆるみを防ぐためにねじ切り加工部を設けている。６は指示電極リード線に接着部、７は凹のマイナスの加工でねじ締め可能とする。【００３４】  図２について説明する。図２において８は本発明の測定装置の試料槽の底部に装填の指示電極と基準電極の内部液格納の溶液を介しての電子授受の構成の断面図であり、９は酸化還元電位差計を有し、１０は指示電極と参照電極導通のリード線であり、１１は参照電極となる銀電極とし、１２は試料槽部土台、１３は試料槽部上面、１４試料槽部の浅瀬部分と深い円筒形状の穴部分、１５は内部液を格納する液槽の上部ふたを設け、１６は内部液を格納する液槽の上面であり、１７には塩化カリウムが格納され、１８は基準電極と指示電極とのｋｃｌ溶液導通の細溝とし、１９は銀線が内蔵され、２０は銀線を包み込む銀粉であり、２１は内部液を格納する液槽のＫＣＬ溶液が漏れないようにパッキンを挟み込むようにしている。２２はガラスやカーボン等の不活性素材からなる筒部を設け、２３はコットンを詰め込み銀粉が流出しないようにしている。２４は綿棒などの多孔性物質を差込む縦筒穴の底部であり接着ボンドで４の白金電極を固定している。２５は指示電極棒状の下部をナットで締めるようにしてゆるみが出ないようにしている。２６は試料槽部に差し込む綿棒などの多孔性物質で構成される持ち手部が木軸及び紙軸であり、２７は綿棒の綿部分に含浸の被検液とＫＣＬ溶液が接触する液絡部であり、２８は指示電極と綿棒に含浸の唾液とＫＣＬ溶液が接する液絡部への導通イメージであり、２９は指示電極の頭部を丸み形状とし唾液含浸綿棒との接触部で構成している。【００３５】  図３について説明する。図３において８の本発明の酸化還元電位測定装置の指示電極（作用電極）と基準電極（参照電極）の溶液を介してのマイナス電子とプラス電子の授受の全体構成の断面図であり、４は指示電極棒状部であり、２９は指示電極と唾液含浸綿棒との接触部で頭部分に丸みを持たせた形状とすることで、局部電池の発生が起きないように、すなわちプラスマイナスの電子が帯電しないようにしている。【００３６】図４について説明する。図４において１０は指示電極と基準電極導通のリード線であり、１１は基準電極となる銀電極であり、１５はｋｃｌ内部液を格納する液槽の上部であり、１６は内部液を格納する液槽である上面であり、１８は基準電極に導通するｋｃｌ溶液の細溝が１５の内部液を格納する液槽とする被覆体が開放部を覆う状態の細溝は、最大深さおよび最大幅が０．１ｍｍ乃至０．８ｍｍ（細溝の半円サイズは限定せず）で細溝を形成することで、濡れた綿棒を１４の試料槽に差込むことで基準電極（塩化銀電極）が浸されているｋｃｌ溶液２７の液絡部に呼び込み、基準電極（塩化銀電極）と指示電極（白金電極）の両極への電子授受交換が起こる毛細管現象を利用したのである。これは浴槽において天井の溝に水滴が走る動きからの着眼で、１５の液槽のフタ側の下面への溝は天井に溝を取ることと同じになり、濡れた綿棒を差し込まない場合において２７の液絡部からのｋｃｌ溶液の流出で起きる結晶化が極小にでき、濡れた綿棒を１４の試料槽部に差込んで測定する場合においてもｋｃｌ溶液の流失は最小で抑えられ、試料槽底部に装填した白金電極にｋｃｌ溶液が直接触れることなく検体液の唾液のみを介して基準電極と白金電極との電子授受を可能にし、測定精度を格段に高めたのである。【００３７】  図５について説明する。図５において３０は本発明の人間の唾液ＯＲＰ測定装置斜視図とする一例図であり、本体箱の内側には銅板、又は銅板素材のメッシュ加工で電磁波防御の素材を装着（図せず）、３１は本発明の人間の唾液ＯＲＰ測定装置本体測定装置天板部であり、３２はプリンター装備部とし、３３は測定結果を紙ペーパー打ち出すのである。３４はプリンターＢＯＸ押しボタンであり、３５は耳下腺左右、顎下腺左右、舌下腺、舌の上の総体唾液の６か所の測定箇所選択押しボタンとし、３６は測定ＢＯＸ１の液晶部で測定経過及び測定結果表示であり、３７は測定ＢＯＸ２の液晶部で測定経過及び測定結果表示であり、３８は測定ＢＯＸ３の液晶部で測定経過及び測定結果表示としている。３９は本電源であり、４０は時刻あわせとし、４１は測定ＢＯＸ１至る測定ＢＯＸ３の各測定ＢＯＸの扉の開閉部分である。４２は各測定ＢＯＸの取り出しボタンであり、４３はＢＯＸ１至る測定ＢＯＸ３の各測定ＢＯＸの測定開始の押し込み箇所である。図６の４４はペーパープリント打ち出しの日本語表記の一例であり、図７の４５はペーパープリント打ち出しの英語表記（表記する言語は英語に限定せず）の一例であり、４６は本体装置持ち手部分であり、４７はブザー音の通し穴、４８は日本語、又は英語表記（言語は限定せず）の選択ボタン。
【産業上の利用可能性】
【００３８】  従来の人間の酸化還元電位測定装置は、口腔内に各局所唾液である耳下腺、顎下腺、舌下腺、舌の上に集約される総体唾液の６か所の唾液の酸化還元電位の測定が同時にできないことにより、体調不良が体調良好に改善されているかの比較検証が困難であった、この問題を１台の測定装置で比較検証できる装置としたことで、２０１５年１２月からストレスチェックの実施が義務化、精神障害を原因とする労災認定件数の増加等をうけ、最近の社会情勢の変化や労働災害の動向に即した形で対応し、労働者の安全と健康の確保対策を一層充実するため、「労働安全衛生法の一部を改正する法律」（平成２６年法律第８２号）が平成２６年６月２５日に公布されました。企業の社員のストレスチェックの可視化を可能にした装置である。【００３９】  本発明は、試料槽部の底に指示電極（白金）を装填した人間の唾液の酸化還元電位（ＯＲＰ）測定手段によって、試料槽部の精製水での洗浄および乾いた綿棒、又はテッシュペーパーでの拭き取り時に、試料槽部の底に指示電極（白金）装填部分も同時に行える構造にしたことで、唾液腺である耳下腺左右、顎下腺左右、舌下腺、舌の上に集まる口腔内の総体唾液の６か所の各局所唾液ＯＲＰ測定、又は局所唾液を単独で効率よく簡便に測定できるようにしたのである。よって、前述の表４至る表７で示す局所の唾液の酸化還元電位値（ｍＶ）を比較検証することができるようにし、体内がストレス負荷状態か、又はストレス負荷もなく精神的にも肉体的にも体調良好状態かの見極め検証を可能にしたのである。特に耳下腺からの産生される唾液成分は、酸化還元電位値が＋３０ｍＶ以下の体調良好状態（前述の岡澤美江子医師の唾液臨床で示された度数分布）の時は、健常者はマイナス電位を示すものが、化学物質などの農薬が沢山使用した飲食物は強いプラスの酸化還元電位（ｍＶ）を示すことにも本発明は着眼している。近年、若年層の薬物乱用が増加していることにおいて、薬物の化学反応は、農薬などの化学物質を摂取したときに含まれる量に比例して、含まれる量が多い飲食物ほど強い酸化還元電位（ｍＶ）を示し、薬物摂取において体内に大量の活性酸素を産生されることが考察され、覚せい剤などによる体内酸化のスクリーニング検査での活用が期待できると考察できたことで、スポーツ分野のみならず一般社会生活が安心して過ごせる。【００４０】本発明の測定装置は、１台の装置で、舌の上に集まる総体唾液および耳下腺左右、顎下腺左右、舌下腺から分泌される局所唾液成分からなる６箇所のヒト唾液成分の酸化還元電位値（ｍＶ）比較測定を可能にし、重篤症状の９割を占めるとされる活性酸素発生のストレス負荷測定が可能としたのである。活性酸素の発生原因は、睡眠不足、過剰なストレス、タバコ、お酒、暴飲暴食、紫外線、排気ガス、過激な運動、化学物質、電磁波、大気汚染、農薬汚染などであり、これらを避けるには、食生活習慣の改善、精神面のメンタルケァー等々を実践した後の成果が簡便に確認できることで健康寿命に繋げる目標が明確になる。本発明は（１）ストレスによる体調不良は世界共通の大問題であり、痛み、感染リスクを伴わず少量唾液でストレスチェックを確認できるＯＲＰ測定装置の製品となる。（２）��トレスチェックでの早期対応は体調を整え、人間関係が良好になり、製品製造の品質を高め国益に繋がると考える。（３）ＴＰＰにおける輸出入製品の新しい受け入れ基準に繋がることが期待できる。（４）企業の社員のストレスチェックの活用。（５）自分の意思を上手に伝えられない乳幼児から高齢者、幼稚園児から大学・集団生活でのストレスチェック。（６）国益を担う国防、集団生活スタッフのストレスチェック。（７）覚せい剤乱用のなどによる強い体内酸化ストレスチェックのスクリーニング検査。（８）２０２０年のオリンピックとパラリンピックにおいてのスクリーニング検査。各国選手は国民性の違いから下着を脱いでのドーピング検査に抵抗を示したり検査時間がかかることから、唾液による簡便な行為でスクリーニング検査活用で、疑わしき場合には、絞り込んだ検査体制にすることが可能となり、早期の覚せい剤乱用阻止と一般市民の社会生活、集団組織の規律を遵守することなど産業上での利用は大いに期待できるのである。
【符号の説明】
【００４１】１  本発明の試料槽に装填の指示電極（白金）断面図一例図
２  指示電極を真上から見た正円図
３  指示電極、先端の頭部の丸み形状
４  指示電極棒状
５  指示電極棒状の下部のねじ切り加工部
６  指示電極リード線に接着部
７  凹のマイナスの加工でねじ締め可能とする
８  試料槽の指示電極と基準電極の内部液格納の溶液を介しての電子授受の構成の断面図
９  酸化還元電位差計
１０  指示電極と参照電極導通のリード線
１１  参照電極となる銀電極
１２  試料槽部土台
１３  試料槽部上面
１４  試料槽部の浅瀬部分と深い円筒形状の穴部分
１５  内部液を格納する液槽の上部ふた
１６  内部液を格納する液槽の上面
１７  塩化カリウム
１８  基準電極と指示電極のＫＣＬ溶液を介して電子導通させる細溝
１９  銀線
２０  銀線を包み込む銀粉
２１  内部液を格納する液槽のＫＣＬ溶液が漏れないようにパッキンを挟み込む
２２  ガラスやカーボン等の不活性素材からなる筒部
２３  コットン
２４  綿棒などの多孔性物質を差込む縦筒穴の底部は接着ボンドで白金電極を固定
２５  指示電極棒状の下部をナットで試料槽の底部に固定の白金電極を締める
２６  試料槽部に差し込む綿棒などの多孔性物質で構成される持ち手部が木軸及び紙軸
２７  綿棒の綿部分に含浸の被検液とＫＣＬ溶液が接触する液絡部
２８  指示電極と綿棒に含浸された唾液溶液とＫＣＬ溶液が接触する液絡部への導通部
２９  指示電極先端部を丸み形状として唾液含浸綿棒との接触部
３０  本発明の人間の唾液ＯＲＰ測定装置斜視図一例図
３１  本発明の人間の唾液ＯＲＰ測定装置本体天板部
３２  プリンター装備部
３３  紙ペーパー打ち出し
３４  プリントボタン
３５  耳下腺左右、顎下腺左右、舌下腺、舌の上の総体唾液の６か所の測定箇所選択ボタン
３６  測定ＢＯＸ１の液晶部で測定経過及び測定結果表示
３７  測定ＢＯＸ２の液晶部で測定経過及び測定結果表示
３８  測定ＢＯＸ３の液晶部で測定経過及び測定結果表示
３９  本電源
４０  時刻合わせ
４１  測定ＢＯＸ１至る測定ＢＯＸ２及び測定ＢＯＸ３の各測定ＢＯＸの扉の開閉
４２  各測定ＢＯＸの取り出しボタン
４３  各測定ＢＯＸ１至る測定ＢＯＸ３の測定開始の押し込み箇所
４４  ペーパープリント打ち出しの日本語表記の一例
４５  ペーパープリント打ち出しの英語表記（言語表記は英語に限定せず）の一例
４６  本体測定装置持ち手部分
４７  ブザー音の通し穴
４８  日本語、又は英語表記（言語は限定せず）の選択ボタン
【手続補正２】
【補正対象書類名】特許請求の範囲
【補正対象項目名】全文
【補正方法】変更
【補正の内容】
【特許請求の範囲】
【請求項１】
少なくとも試料槽部の底に指示電極（白金）を装填した人間の唾液の酸化還元電位（ＯＲＰ）測定手段であり、唾液成分の微細な千分の１ｍＶ単位での酸化還元電位反応を捉えることを可能とし、麻薬と呼ばれる物の中には覚醒剤、大麻、アヘン、モルヒネ、ヘロイン、ＭＤＭＡ・ＭＤＡ、コカイン、シンナー等有機溶剤、危険ドラッグなどがあり、これらの摂取乱用により、体内細胞への酸化反応が強くなり、特に覚せい剤などにおいて、覚せい剤は人工の化学物質を混ぜたメタンフェタミンであり、これらの人工的な化学物質を体内に取り込むことで大量の強い活性酸素の生成が考察されるのであり、活性酸素の発現は唾液成分に強い酸化反応が現れる生体反応の特性を活用し、さらに、唾液採取の手段は飲食前後、又は過激な運動直後及び過激な精神的負荷を受けた直後の唾液採取測定であり、つづいて、少なくとも飲食後、又は運動及び精神的負荷の体感後において、いっさい飲食、又は運動及び精神的負荷を体感しない安静にした状態で３０分経過以降の唾液採取することでの測定とすることで飲食、又は運動及び精神的体感前後、さらには３０分経過以降の経時変化を比較検証することができるようにし、血液を通して唾液の酸化還元反応が、飲食又は体感後において最速で３０分経過後に色濃く現れる生体反応の特性を捉え、覚せい剤反応のスクリーニング活用とすることを特徴とする試料槽部に指示電極を装填した酸化還元電位測定装置と利用方法。
【請求項２】
少なくとも試料槽部の底に指示電極（白金）を装填した人間の唾液の酸化還元電位（ＯＲＰ）測定手段であり、指示電極と対極する塩化銀電極にプラスマイナスの電子授受交換するｋｃｌ溶液の接触部である液絡部との距離が常に一定し、ｋｃｌ溶液と指示電極が直接触れることが起きないようにし、確実に指示電極で得られた被検液の電子情報を対極の塩化銀電極に伝えることができるのであり、前の測定溶液を精製水、又は純水を含浸させた綿棒で洗浄後、乾燥した新しい綿棒で簡便にふき取ることができる試料槽とし、試料槽部に内蔵された円形のリベット形状の指示電極である白金電極の頭を緩やかなアールをかけた形状とするのであり、試料槽部に装着時に接着面との隙間を解消し、被検液の潜り込みをなくすようにしたのであり、常に綿棒の素材である柔らかいコットンで、試料槽の底部に装填した指示電極に人間の手が直接触れたり、又は物に当てて傷をつけることがないようにし、指示電極に前被検液の微量の粘膜付着の拭き取り行為ができるようにしているのであり、前の被検液の拭き残りをなくし常に測定毎に新しい被検液測定が確実に行えるのであり、試料槽部に洗浄拭き残りの不備がある場合においては、洗浄チェックの数秒間の値差の演算機構を設けてあり、不備の場合は、測定被検液に混ざった溶液で微細な値差が生じ、再洗浄が表示されるようにしているのであり、測定操作を最初からやり直すことができるようにし、従来の測定装置本体の外部装填指示電極では洗浄拭き取りによる不備、又は乱暴な取り扱い及び指示電極に直接、人間の手が触たり物に当てて傷つける問題や前の被検液の汚れが残る問題などを解消したのであり、唾液腺である耳下腺左右、顎下腺左右、舌下腺、舌の上に集まる口腔内の総体唾液の各局所唾液ＯＲＰ測定を同時、又はそれぞれの局所唾液を単独で測定できるようにし、検体者が同じ唾液の場合の各局所唾液ＯＲＰ（ｍＶ）をも同時に比較検証することができるようにしているのであり、耳下腺唾液が０ｍＶ以上のプラスの電位と舌の上の総体唾液が５０ｍＶ以上と、ともに強い酸化傾向、又は耳下腺唾液が０ｍＶ以下のマイナスの電位と舌の上の総体唾液が４０ｍＶ以下の還元傾向で一致する比較検証で、薬物による体内酸化状態か、又は飲食によって、あるいは精神的負荷によって体内がストレス負荷状態か、又はストレス負荷もなく精神的にも肉体的にも体調良好状態かを確認できることを特徴とする試料槽部に指示電極を装填した酸化還元電位測定装置と利用方法。
【請求項３】
少なくとも試料槽部の底に指示電極（白金）を装填した人間の唾液の酸化還元電位（ＯＲＰ）測定手段であり、試料槽部に指示電極が内蔵されたものが３箇所設置（設置個数はこれに限定せず）している本発明の測定範囲はプラスマイナス５００ｍＶ（測定範囲数値はこれに限定せず）としているのであり、この３箇所で測定する同一検体液とする酸化状態のＯＲＰ唾液、又は還元状態のＯＲＰ唾液の何れであっても、全測定範囲のプラスマイナス１％以内（電気的入力による）で、若しくは同一唾液でプラスマイナス１０ｍＶ以内での測定精度を実現したことを特徴とする試料槽部に指示電極を装填した酸化還元電位測定装置と利用方法。
【請求項４】
少なくとも試料槽部の底に指示電極（白金）を装填した人間の唾液の酸化還元電位（ＯＲＰ）測定手段であり、ｋｃｌ溶液（内部液）を格納するフタの下面に、電子授受をさせる細溝を設けたことにより、ｋｃｌ溶液（溶液濃度ｋｃｌ  １ｍｏｌに限定せず）を含浸させた綿棒が試料槽部の底に装填された指示電極（白金）が空気にさらされない状態で常に液絡部と一定の距離で接触し、対極する銀電極側にｋｃｌ溶液を介して電子導通がされることによって指示電極が酸化影響を受けることなく、ｋｃｌ溶液濃度によって示される固有のＯＲＰ電位をプラスマイナス１０ｍＶ以内で、常にｋｃｌ溶液の絶対値測定を可能にし、測定装置が正確に測定できているかを定期的に当該測定装置使用者が確認できる校正標準溶液を備えていることを特徴とする請求項１、２、又は３に記載の試料槽部に指示電極を装填した酸化還元電位測定装置と利用方法。
【請求項５】
少なくとも試料槽部に指示電極を装填した酸化還元電位測定装置と利用方法において、オリンピック及びパラリンピックをはじめとする各種スポーツ競技における選手の薬物反応検査で、薬物検査担当官の前で下着を脱いで尿採取する選手の抵抗感を解消する手段であり、又はすり替え検体液採取を避けるために、検査立会人及び検体液提供者が見守る同席の場面で、綿棒を口にくわえて唾液含浸採取の簡単な手段で、薬物検査の詳細な検査前の覚せい剤反応のスクリーニング生体反応を捉えることを特徴とする請求項１、２、３又は４に記載の試料槽部に指示電極を装填した酸化還元電位測定装置と利用方法。
【請求項６】
少なくとも試料槽部の底に指示電極（白金）を装填した人間の唾液の酸化還元電位（ＯＲＰ）測定手段であり、液晶画面表示が日本語表記、又は英語表記に切り替える機能を有し、音声でも確認できるようにし、動作表示および音声は日本語、又は英語（言語は限定せず）表現機能を持たせ、酸化還元電位値（ｍＶ）で比較検証できることを特徴とする請求項１、２、３、４又は、５に記載の試料槽部に指示電極を装填した酸化還元電位測定装置と利用方法。
【請求項７】
少なくとも試料槽部の底に指示電極（白金）を装填した人間の唾液の酸化還元電位（ＯＲＰ）測定手段であり、測定溶液は人間の局所唾液に限定せず、動物の局所唾液であり、植物の葉っぱ溶液であり、植物の幹の溶液であり、根の溶液であり、花ビラの溶液であり、種子の溶液であり、果実の溶液であり、海水溶液であり、飲料水溶液であり、雨水溶液であり、河川水溶液であり、それぞれの検体液のＯＲＰ測定を同時、又はそれぞれの検体液を単独で測定でき、１台で複数の検体液を比較検証できることを特徴とする請求項１、２、３、４、５又は、６に記載の試料槽部に指示電極を装填した酸化還元電位測定装置と利用方法。
【請求項８】
少なくとも試料槽部の底に指示電極（白金）を装填した人間の唾液の酸化還元電位（ＯＲＰ）測定手段であり、各局所の唾液含浸の綿棒、又は多孔性物質を装填する試料槽部は空調による室内空気の流れ、又は室外での測定においても風による酸化影響を受けないように試料槽部を測定装置本体内部に扉が閉じられる収納式とし、各局所唾液ＯＲＰ（ｍＶ）で比較検証することができることを特徴とする請求項１、２、３、４、５、６又は、７に記載の試料槽部に指示電極を装填した酸化還元電位測定装置と利用方法。
【請求項９】
唾液腺である耳下腺左右、顎下腺左右、舌下腺、舌の上に集まる口腔内の総体唾液の各局所唾液ＯＲＰ測定結果を日本語、又は英語（言語は限定せず）プリントアウト機能を持たせ、プリントアウトされた酸化還元電位値（ｍＶ）で比較検証することができることを特徴とする請求項１、２、３、４、５、６、７又は、８に記載の試料槽部に指示電極を装填した酸化還元電位測定装置と利用方法。
【請求項１０】
唾液腺である耳下腺左右、顎下腺左右、舌下腺、舌の上に集まる口腔内の総体唾液の６か所の各局所唾液ＯＲＰ測定は千分の１ｍＶでの極めて精緻な測定精度を保持するために、測定装置外部からの電磁波ノイズの影響を受けないように、電磁波シールドの極薄銅板、又は銅板をメッシュ加工した素材を、測定装置本体の内側壁に装着を施すことを特徴とする請求項１、２、３、４、５、６、７、８又は、９に記載の試料槽部に指示電極を装填した酸化還元電位測定装置と利用方法。
【請求項１１】
被覆体が開放部を覆う状態の細溝は、ｋｃｌ溶液（内部液）をフタする下面に、最大深さおよび最大幅が０．１ｍｍ乃至０．８ｍｍであることを特徴とする請求項１、２、３、４、５、６、７、８、９又は、１０に記載の試料槽部に指示電極を装填した酸化還元電位測定装置と利用方法。
【手続補正４】
【補正対象書類名】図面
【補正対象項目名】全図
【補正方法】変更
【補正の内容】
【図１】
2018081068.tif 000020
【図２】
2018081068.tif 000021
【図３】
2018081068.tif 000022
【図４】
2018081068.tif 000023
【図５】
2018081068.tif 000024
【図６】
2018081068.tif 000025
【図７】
2018081068.tif 000026
【手続補正書】
【提出日】平成29年7月19日(2017.7.19)
【手続補正１】
【補正対象書類名】明細書
【補正対象項目名】全文
【補正方法】変更
【補正の内容】
【発明の詳細な説明】
【技術分野】
【０００１】
本発明は試料槽部に指示電極を装填した酸化還元電位（ＯＲＰ）測定装置および利用方法にかんする。
【背景技術】
【０００２】
酸化還元電位測定装置は指示電極と参照電極を備え、指示電極と参照電極を試料溶液中に挿入し、溶液中の電解質の濃度や酸化体・還元体のイオン濃度比など酸化還元電位を測定する。従来、酸化還元電位の測定は主に排水やプラント水の水質検査など多量の溶液を対象とする一方、試料溶液が少量であったり、緩衝能力が低い場合、測定の再現精度が不安定で正確性にかけるという欠点があった。液絡部を通して試料溶液中に流出する参照電極（銀−塩化銀）側の内部液が試料溶液と接触することによって酸化還元電位が測定されるのであるが、指示電極とする白金電極との距離が近いことにより検体液以外の参照電極（銀−塩化銀）側の内部液が試料槽部に装填される指示電極に接触してしまうことで緩衝能力の低い試料溶液（唾液などの生体液等）のような場合、参照電極の内部液の流出がわずかであっても検体溶液に対する影響が大きく、指示電極に直接接触した場合は、検体溶液の測定ではなく、内部溶液に影響された測定となり正確な酸化還元電位測定ができないからである。
【先行技術文献】
【特許文献】
【０００３】
文献１は、測定電極及び比較電極を被検液に浸漬して被検液の酸化還元電位を測定する酸化還元電位測定装置の電極を検査する方法、及びその検査に使用する標準液に関するものを提供しているものである。
【０００４】
文献２は、過硫酸塩を活性炭により還元処理する過硫酸塩処理装置、過硫酸塩処理方法の技術に関するものである。
【０００５】
文献３及び文献４とも本出願人の発明による人間の生体液である唾液の酸化還元電位を測定する装置について提供している。
【０００６】
文献１：特許第5157880号
文献２：特許第5980652号
文献３：特許第4154884号
文献４：特許第4650771号
【発明の概要】
【発明が解決しようとする課題】
【０００７】
本発明は、文献３及び文献４で示す通り、酸化還元電位測定装置は指示電極と参照電極を備え、指示電極と参照電極を試料溶液中に挿入し、溶液中の電解質の濃度や酸化体・還元体のイオン濃度比など酸化還元電位を測定する人間の唾液の酸化還元電位測定装置であるが、検体液を含浸させた綿棒を接触させる試料槽部に新しい検体液の測定ごとに綿棒に添えて丸棒形状の指示電極を装填することで酸化還元電位を測定するのであるが、測定装置本体の外付け装着の白金電極においては、測定装置使用者の取り扱いが粗雑な場合は、丸棒形状の白金電極を折り曲げたり微細な傷をつける問題が生じることになり、それにより、測定精度の大きな値差が生じるのである。
【課題を解決するための手段】
【０００８】
この課題を解決するため本発明にかかる酸化還元電位測定装置は、検体液である人間の唾液採取の綿棒、又は各種水溶液を含浸させた綿棒を参照電極と指示電極に介在させることで、溶液中の電解質の濃度や酸化体・還元体のイオン濃度比など酸化還元電位を測定する構成とした試料槽の底部に指示電極である白金電極をリベット形状にして内蔵させる。白金電極をリベット形状の頭部の表面を鏡面研磨し、試料槽の底部に指示電極を装着することでプラスマイナスの電子の局部電池発生を回避できることに着眼したのである。
【０００９】
よって、前の測定溶液を精製水、又は純水を含浸させた綿棒で洗浄後、乾燥した新しい綿棒で簡便にふき取ることができる試料槽とすることで、試料槽部に内蔵されたリベット形状の指示電極である白金電極の頭を、常に綿棒の素材である柔らかいコットンで常に鏡面研磨の拭き取り行為をすることになり、外部に装着する指示電極では洗浄拭き残りによる取り扱いで傷つける問題も解消され一石二鳥の効果を得られるである。
【００１０】
つぎに、人間の唾液及びその他の検体液を含浸させた綿棒を試料槽部に差し込んで、試料槽部を押し込み格納することで、電源が自動的にＯＮされ測定が開始されるようにしている。それにより、空調による風の影響、又は室外での測定においても風の影響を受けることなくｍＶ単位の測定を安定させ、所定時間後に測定完了で測定結果が液晶部に表示されるようにする。
【００１１】
さらには、測定結果をプリントできるようにした酸化還元電位測定装置である。そして、プリント機能は、個人情報の漏洩に配慮し、次の検体液を測定するとデータは次の測定結果の数値に上書き保存されるように対応可能としている。USBやネットケーブルで周辺機器に安易にデータ情報が流失しないように暗証番号入力、又はこれらの機能を設けないことにも対応できるようにしているのである。
【００１２】
さらに、本発明の測定装置は、検体液の綿棒を装填できる複数の試料槽部を設けることで、市民の健康セミナーなどのイベント会場にいて、多数の参加者の体調度を効率よく測定することができる人間の唾液の酸化還元測定装置としている。
【００１３】
上記目的を達成するために、本発明は（請求項１の構成要件）とで、本発明の溶液中の電解質の濃度や酸化体・還元体のイオン濃度比など酸化還元電位を測定する構成とした試料槽の底部に指示電極である白金電極をリベット形状にして内蔵させる。なおかつ、白金電極をリベット形状の頭部の表面を鏡面研磨したもので構成し、従来の人間の唾液測定装置の外付け指示電極による使用者の取扱いによる電極を損傷させる問題を解消したのである。
【発明の効果】
【００１４】
以上の説明から明らかなように、本発明にあっては次に列挙する効果が得られる。
（１）（請求項１の構成要件）とで構成されているので、人間の唾液の酸化還元電位（ＯＲＰ）測定手段を用いて、本発明の有効性を証明するために、本発明者が取得している特許をもとに開発した厚生労働省から医療機器として認証されている人間の唾液ＯＲＰ測定装置と本発明の人間の唾液ORP測定装置を用いて、同一溶液である検体液で人間の唾液のORP測定精度の比較を試みたのである。
【００１５】
（２）前記（１）によって、試料槽部の底に指示電極（白金）を装填した人間の唾液の酸化還元電位（ＯＲＰ）測定手段を用いて、すでに、厚生労働省から医療機器として認証されている人間の唾液ＯＲＰ測定装置を用いて３，０００症例を超える唾液臨床でｍＶ数値限定による体調度を立証した横浜・小児内科医の岡澤美江子医師の協力のもと、患者及び付き添いの健常者を含む２０人の同一溶液である唾液ＯＲＰの測定を実施した。表１は、本発明出願人が特許取得して開発された医療機器として認可されている人間の唾液ORP測定装置を用いた人間の唾液ORP測定結果であり、表２は、本発明の試料槽部の底に指示電極（白金）を装填した酸化還元電位測定装置を用いて人間の唾液ORP測定結果である。同一溶液とは、被験者のそれぞれの唾液を１個のビニール小袋に採取し、測定専用の綿棒２本の綿部分に唾液を含浸させておいて、比較測定する手段としたのである。それぞれの被験者の唾液ORPは表１と表２で示された通りである。よって、表１と表２で示されたヒト唾液ORPが、千分の５ｍV以内で、ほぼ偶然に近い数値に一致したとは考えられず、本発明である、被験者の唾液を含浸させた綿棒を差し込む試料槽部の底に指示電極（白金）を装填した指示電極の構造においても、白金電極を内蔵させた構成によるプラスマイナスの電子授受交換が正しく行われ、医療機器である人間の唾液ORP測定装置の必須条件である絶対値測定(同一溶液なら、ほぼ同じ値で計測される)とする精度の高い測定装置としての所期の目的を達成したのである。
【００１６】
（３）請求項１至る請求項９も前記（１）〜（２）と同様に、綿棒に含浸の唾液を試料槽部に差し込むことで起きる毛細管現象を利用し、基準電極への導線となるＫＣＬ溶液が指示電極に直接触れないように常に一定した距離を持たせ、試料槽部の底部に装着の指示電極と微量のＫＣＬ溶液の液絡部に唾液含浸の綿棒を介してのみプラスマイナスの電子導通で接触させるようにしたのである。よって、前記（２）に示したように所期の目的を達成したのである。
【００１７】
【表１】
2018081068.tif 000027
【００１８】
【表２】
2018081068.tif 000028
【図面の簡単な説明】
【００１９】
【図１】本発明の図１は、本発明の酸化還元電位測定装置８には試料槽の底部に装填の指示電極（白金）を拡大した断面図である。
【図２】本発明の図２は本発明の酸化還元電位測定装置の指示電極（作用電極）と基準電極（参照電極）の溶液を介してマイナス電子とプラス電子の授受の全体構成の断面図である。
【図３】本発明の図３は綿棒などの多孔性物質に白金棒を差込む縦筒穴の底部に指示電極（白金）を内蔵させた図である。
【図４】本発明の図４は人間の唾液ORP測定装置斜視図を示す一例図である。
【図５】本発明の図５は液晶に日本語表示を示す一例図。
【図６】本発明の図６は液晶に英語表示を示す一例図。
【発明を実施するための形態】
【００２０】
本発明を実施するための最良の形態について説明する。本発明に用いる本発明の試料槽部の底に指示電極（白金）を装填した酸化還元電位測定装置を用いて人間の唾液ORP測定結果の手段である酸化還元電位指標は、人間の生体液である唾液は、電子レベルでの酸化体と還元体の電子の授受であり、電子の流れは負極（マイナス）から正極（プラス）となり、すなわち、マイナス電子を奪われ酸化することを意味するのである。このことから、負極（マイナス）電子が放出（奪われた）場合は酸化反応であり、反対に起こっている正極（プラス）が負極（マイナス）電子を受け取る場合は還元反応なのである。人間の体は、常に負極（マイナス）電子が奪われる自然摂理で構成され、酸化反応をいかに抑えるかが健康で生きるための大切な要件である。
【実施例】
【００２１】
本発明を実施するための最良の形態について説明する。図１において本発明の酸化還元電位測定装置８には試料槽の底部に装填の指示電極（白金）断面図１を有し、２は指示電極を真上から見た正円図であり、３は指示電極先端部の頭部の丸み形状として、４は指示電極(白金)棒状部であり、５は試料槽におけるゆるみを防ぐためにねじ切り加工部を設けている。６は指示電極リード線に接着部、７は凹のマイナスの加工でねじ締め可能とする。
【００２２】
２について説明する。８は本発明の測定装置の試料槽の底部に装填の指示電極と基準電極の内部液格納の溶液を介しての電子授受の構成の断面図であり、９は酸化還元電位差計を有し、１０は指示電極と参照電極導通のリード線であり、１１は参照電極となる銀電極とし、１２は試料槽部土台、１３は試料槽部上面、１４試料槽部上部浅瀬部分であり、１５は内部液を格納する液槽の上部ふたを設け、１６は内部液を格納する液槽の上面であり、１７には塩化カリウムが格納されている。１８は基準電極の銀線ＫＣＬ溶液導通の細溝とし、１９は銀線が内蔵され、２０は銀線を包み込む銀粉であり、２１は内部液を格納する液槽のＫＣＬ溶液が漏れないようにパッキンを挟み込むようにしている。２２はガラスやカーボン等の不活性素材からなる筒部を設け、２３はコットンを詰め込み銀粉が流出しないようにしている。２４は綿棒などの多孔性物質を差込む縦筒穴の底部であり接着ボンドで４の白金電極を固定している。２５は指示電極棒状の下部をナットで締めるようにしてゆるみが出ないようにしている。２６は試料槽部に差し込む綿棒などの多孔性物質で構成される持ち手部が木軸及び紙軸であり、
２７は綿棒の綿部分に含浸の被検液とＫＣＬ溶液が接触する液絡部であり、２８は指示電極と綿棒に含浸の唾液とＫＣＬ溶液が接する液絡部への導通イメージであり、２９は指示電極の頭部を丸み形状をもたせ唾液含浸綿棒との接触部で構成している。
【００２３】
図３について説明する。図２において８の本発明の酸化還元電位測定装置の指示電極（作
用電極）と基準電極（参照電極）の溶液を介してのマイナス電子とプラス電子の授受の全体構成の断面図であり、４は指示電極棒状部であり、２９は指示電極と唾液含浸綿棒との接触部で頭部分に丸みを持たせた形状とすることで、局部電池の発生が起きないように、すなわちプラスマイナスの電子が帯電しないようにしている。
【００２４】
図４について説明する。３０は本発明の人間の唾液ORP測定装置斜視図であり、本体箱の内側には銅板、又は銅板素材のメッシュ加工で電磁波防御の素材を装着（図せず）、３１は本発明の人間の唾液ORP測定装置本体測定装置天板部であり、３２はプリンター装備部とし、３３は測定結果を紙ペーパー打ち出すのである。３４はプリンターBOX  押しボタンであり、３５は耳下腺左右、顎下腺左右、舌下腺、舌の上の総体唾液の６か所の測定箇所選択押しボタンとし、３６は測定BOX  １の液晶部で測定経過及び測定結果表示であり、３７は測定BOX  ２の液晶部で測定経過及び測定結果表示であり、３８は測定BOX  ３の液晶部で測定経過及び測定結果表示としている。３９は本電源であり、４０は日本語、又は英語表記（言語は限定せず）の選択ボタンとし、４１は測定BOX  １至る測定BOX  ３の測定BOXの扉の開閉部分である。４２は各測定BOXの取り出しボタンであり、４３は各測定BOXの測定開始の押し込み箇所である。図５の４４はペーパープリント打ち出しの日本語表記の一例であり、図６の４５はペーパープリント打ち出しの英語表記（表記する言語は英語に限定せず）の一例である。
【産業上の利用可能性】
【００２５】
従来の人間の酸化還元電位測定装置は、口腔内に各局所唾液である耳下腺、顎下腺、舌下腺、舌の上に集約される総体唾液の6か所の唾液の酸化還元電位の測定が同時にできないことにより、体調不良が体調良好に改善されているかの比較検証が困難であった、この問題を１台の測定装置で比較検証できる装置としたことで、2015年12月からストレスチェックの実施が義務化、精神障害を原因とする労災認定件数の増加等をうけ、最近の社会情勢の変化や労働災害の動向に即した形で対応し、労働者の安全と健康の確保対策を一層充実するため、「労働安全衛生法の一部を改正する法律」（平成26年法律第82号）が平成26年6月25日に公布されました。 企業の社員のストレスチェックの可視化を可能にした装置である。
【００２６】
本発明は、試料槽部の底に指示電極（白金）を装填した人間の唾液の酸化還元電位（ＯＲ
Ｐ）測定手段によって、試料槽部の精製水での洗浄および乾いた綿棒、又はテッシュペーパーでの拭き取り時に、試料槽部の底に指示電極（白金）装填部分も同時に行える構造にしたことで、唾液腺である耳下腺左右、顎下腺左右、舌下腺、舌の上に集まる口腔内の総体唾液の６か所の各局所唾液ORP測定、又は局所唾液を単独で効率よく簡便に測定できるようにしたのである。よって、局所の唾液の酸化還元電位値（ｍＶ）を比較検証することができるようにしているのであり、体内がストレス負荷状態か、又はストレス負荷もなく精神的にも肉体的にも体調良好状態かの見極め検証を可能にしたのである。
【００２７】
今日において、精神的なストレスチェック、疾患の治癒経過、完全治癒を専門従事者でなくても簡単に数値化判定するのが困難な状況である。唾液の酸化還元電位値（ｍＶ）を総体的に演算測定する手段とその測定の活用方法であり、舌の上に集まる総体唾液および耳下腺左右、顎下腺左右、舌下腺から分泌される局所唾液成分からなる６箇所のヒト唾液成分の酸化還元電位値（ｍＶ）測定を可能にし、重篤症状の９割を占めるとされる活性酸素発生のストレス負荷測定が可能としたのである。活性酸素の発生原因は、睡眠不足、過剰なストレス、タバコ、お酒、暴飲暴食、紫外線、排気ガス、過激な運動、化学物質、電磁波、大気汚染、農薬汚染などであり、これらを避けるには、食生活習慣の改善、精神面のメンタルケァー等々を実践した後の成果が簡便に確認ができることで健康寿命に繋げる目標が明確になる。本発明は（１）ストレスによる体調不良は世界共通の大問題であり、痛み、感染リスクを伴わず少量唾液でストレスチェックを確認できるORP測定装置は世界で唯一の製品となる。（２）ストレスチェックでの早期対応は体調を整え人間関係が良好になり製品製造の品質を高め国益に繋がると考える。（３）TPPにおける輸出入製品の新しい受け入れ基準に繋がることが期待できる。（４）企業の社員のストレスチェックの活用。（５）幼稚園から大学・集団生活でのストレスチェック。（６）国益を担う国防、集団生活スタッフのストレスチェックなど多岐に活用でき、早期の体調改善は医療費の軽減につながり、産業上での利用は大いに期待できるのである。
【符号の説明】
【００２８】
１  本発明の試料槽に装填の指示電極（白金）断面図
２  指示電極を真上から見た正円図
３  指示電極、先端の頭部の丸み形状
４  指示電極棒状
５  指示電極棒状の下部のねじ切り加工部
６  指示電極リード線に接着部
７  凹のマイナスの加工でねじ締め可能とする
８  試料槽の指示電極と基準電極の内部液格納の溶液を介しての電子授受の構成の断面図
９  酸化還元電位差計
１０  指示電極と参照電極導通のリード線
１１  参照電極となる銀電極
１２  試料槽部土台
１３  試料槽部上面
１４  試料槽部上部浅瀬部分
１５  内部液を格納する液槽の上部ふた
１６  内部液を格納する液槽の上面
１７  塩化カリウム
１８  基準電極の銀線ＫＣＬ溶液導通の細溝
１９  銀線
２０  銀線を包み込む銀粉
２１  内部液を格納する液槽のＫＣＬ溶液が漏れないようにパッキンを挟み込む
２２  ガラスやカーボン等の不活性素材からなる筒部  
２３  コットン
２４  綿棒などの多孔性物質を差込む縦筒穴の底部は接着ボンドで白金電極を固定
２５  指示電極棒状の下部をナットで試料槽の底部に固定の白金電極を締める
２６  試料槽部に差し込む綿棒などの多孔性物質で構成される持ち手部が木軸及び紙軸
２７  綿棒の綿部分に含浸の被検液とＫＣＬ溶液が接触する液絡部  
２８  指示電極と綿棒に含浸された唾液溶液とＫＣＬ溶液が接触する液絡部への導通部
２９  指示電極先端部を丸み形状として唾液含浸綿棒との接触部
３０  本発明の人間の唾液ORP測定装置斜視図
３１  本発明の人間の唾液ORP測定装置本体天板部
３２  プリンター装備部
３３  紙ペーパー打ち出し
３４  プリンターBOX  押しボタン
３５  耳下腺左右、顎下腺左右、舌下腺、舌の上の総体唾液の６か所の測定箇所選択ボタン
３６  測定BOX  １の液晶部で測定経過及び測定結果表示
３７  測定BOX  ２の液晶部で測定経過及び測定結果表示
３８  測定BOX  ３の液晶部で測定経過及び測定結果表示
３９  本電源
４０  日本語、又は英語表記（言語は限定せず）の選択ボタン
４１  測定BOX  １至る測定BOX  ３の測定BOXの扉の開閉
４２  各測定BOXの取り出しボタン
４３  各測定BOXの測定開始の押し込み箇所
４４  ペーパープリント打ち出しの日本語表記の一例
４５  ペーパープリント打ち出しの英語表記(言語表記は英語に限定せず)の一例
【手続補正２】
【補正対象書類名】特許請求の範囲
【補正対象項目名】全文
【補正方法】変更
【補正の内容】
【特許請求の範囲】
【請求項１】
試料槽部の底に設けられた指示電極と、前記試料槽部上部に設けられ、内部液を保持した液絡部と細溝で連通する参照電極と、前記指示電極、前記参照電極と接続される酸化還元電位差計とを備え、前記試料槽部に測定対象試料を含む綿棒を差し込むことにより、前記指示電極と参照電極の液絡部とが導通し、酸化還元電位が測定される酸化還元電位（ORP）測定装置であって、
前記指示電極は、頭部に丸みを持たせたリベット形状であり、前記指示電極の下部にナットと係合するねじ切り加工部を設けたことを特徴とする酸化還元電位（ORP）測定装置。
【請求項２】
試料槽部の底に設けられた指示電極と、前記試料槽部上部に設けられ、内部液を保持した液絡部と細溝で連通する参照電極と、前記指示電極、前記参照電極と接続される酸化還元電位差計とを備え、前記試料槽部に測定対象試料を含む綿棒を差し込むことにより、前記指示電極と参照電極の液絡部とが導通し、酸化還元電位が測定される酸化還元電位（ORP）測定装置であって、
前記指示電極は、頭部に丸みを持たせたリベット形状であり、前記頭部を上にして前記頭部が露出するように封止剤で固定したことを特徴とする酸化還元電位（ORP）測定装置。
【請求項３】
前記測定対象試料は、唾液、飲料水、植物の葉っぱ溶液、植物の幹の溶液、根の溶液、
花の溶液、実の溶液、果実の溶液、海水、飲料水、雨水、河川水溶液の何れかであることを
特徴とする請求項１又は２いずれかに記載の酸化還元電位（ORP）測定装置。
【請求項４】
装置本体内に、複数の収納式の測定BOXを備え、前記測定BOX内に請求項１〜３のいずれかに記載の前記酸化還元電位（ORP）測定装置をそれぞれ備えたことを特徴とする酸化還元電位（ORP）測定装置システム。
【請求項５】
前記測定BOX毎に測定結果をプリントアウトできる出力手段を備えることを特徴とする請求項４に記載の酸化還元電位（ORP）測定装置システム。
【請求項６】
前記測定BOXは対応する液晶部を備え、前記液晶部は測定経過及び測定結果を表示することを特徴とする請求項４、又は５に記載の酸化還元電位（ORP）測定装置システム。
【請求項７】
音声表現機能をさらに有することを特徴とする請求項６に記載の酸化還元電位（ORP）測定装置システム。
【請求項８】
前記装置本体は、測定装置が測定動作において外部から電磁波ノイズを受けないための電磁波シールドの極薄銅板、又は、銅メッシュ加工素材が装着されたことを特徴とする請求項４〜７いずれかに記載の酸化還元電位（ORP）測定装置システム。
【請求項９】
前記測定対象試料に唾液を用いた際の、請求項１〜３のいずれかに記載の酸化還元電位（ORP）測定装置、又は、請求項４〜８のいずれかに記載の酸化還元電位（ORP）測定装置システムを用いた利用方法であって、
体内がストレス負荷状態か、又はストレス負荷もなく精神的にも肉体的にも体調良好状態かを確認するために、耳下腺左右、顎下腺左右、舌下腺、舌の上に集まる口腔内の総体唾液の6か所の各局所唾液ORP測定を同時、又はそれぞれの局所唾液を単独で測定できるようにし、酸化還元電位値（ｍV）で比較検証することを特徴とする利用方法。
【手続補正３】
【補正対象書類名】図面
【補正対象項目名】全図
【補正方法】変更
【補正の内容】
【図１】
2018081068.tif 000029
【図２】
2018081068.tif 000030
【図３】
2018081068.tif 000031
【図４】
2018081068.tif 000032
【図５】
2018081068.tif 000033
【図６】
2018081068.tif 000034